(57)【特許請求の範囲】
【請求項１】
トレッド部から一対のサイドウォール部を介して一対のビード部にわたってトロイド状に延び、ビード部内に埋設されたビードコアに係止されるカーカス本体部と、該カーカス本体部から延びビードコアの周りに折り返されてなるカーカス折返し部とで構成される、少なくとも１プライからなるカーカスを具える空気入りタイヤであって、
タイヤを適用リムに装着し、所定空気圧を適用した無負荷状態でリムフランジの外端位置よりもタイヤ径方向外方に位置する、少なくともビード部の外面ゴム部分に、タイヤ径方向外方に向かってゴム厚みが減少する薄肉部を設け、
前記カーカスの外周面に沿ってビードコアの周りに巻き返された、有機繊維コードのゴム被覆シートからなる少なくとも１枚の補強層を配設し、
前記タイヤの適用リムへの装着姿勢で、前記補強層のタイヤ径方向内端位置からタイヤ径方向に沿って測定して、前記薄肉部のゴム厚み減少開始位置までの距離をＨ０、前記補強層のカーカス本体部側のタイヤ径方向外端位置までの距離をＨ１、そして前記補強層のカーカス折返し部側のタイヤ径方向外端位置までの距離をＨ２とするとき、Ｈ０、Ｈ１及びＨ２が、Ｈ１＜Ｈ０＜Ｈ２の不等式を満足し、
Ｈ０が２５〜４５ｍｍであり、Ｈ１が２０〜３０ｍｍであり、且つ、Ｈ２が５０〜８０ｍｍであることを特徴とする空気入りタイヤ。
【請求項２】
前記カーカス折返し部が、前記ビードコアの周りに巻き付いていることを特徴とする、請求項１に記載の空気入りタイヤ。
【請求項３】
前記補強層は、タイヤ周方向に対してそれぞれ３０〜６０°の角度でタイヤ周方向を挟んで傾斜する二軸織物のゴム被覆シートからなることを特徴とする、請求項１または２に記載の空気入りタイヤ。
【請求項４】
適用リムに装着し、所定空気圧を適用した無負荷状態で、前記補強層のカーカス折返し部側のタイヤ径方向外端を、適用リムのリムフランジの外端に対して５〜２０ｍｍの範囲でタイヤ径方向外方に位置させ、補強層のカーカス本体部側のタイヤ径方向外端を、前記ビードコアの中心直下位置より３〜２０ｍｍの範囲でタイヤ幅方向内方に位置させたことを特徴とする、請求項１〜３の何れかに記載の空気入りタイヤ。
【請求項５】
前記薄肉部の外面形状は、前記カーカスよりタイヤ幅方向外側に中心を有する一つ以上の円弧からなることを特徴とする、請求項１〜４の何れかに記載の空気入りタイヤ。
【請求項６】
適用リムに装着し、所定空気圧を適用した無負荷状態で、前記薄肉部の曲率半径が、１０〜５００ｍｍの範囲であることを特徴とする、請求項１〜５の何れかに記載の空気入りタイヤ。
【請求項７】
適用リムに装着し、所定空気圧を適用した無負荷状態で、前記薄肉部のタイヤ径方向外端が、タイヤ幅方向断面内で、タイヤ幅方向外側に凸となる曲線状をなすサイドウォール部の外表面と滑らかに連続していることを特徴とする、請求項１〜６の何れかに記載の空気入りタイヤ。
【請求項８】
適用リムに装着し、所定空気圧を適用した無負荷状態で、前記薄肉部のタイヤ径方向内端が、適用リムのリムフランジの円弧中心から前記カーカス本体部に下ろした垂線と、タイヤ外表面との交点から、タイヤ外表面に沿ってタイヤ径方向外方に測って５〜２５ｍｍの範囲に位置することを特徴とする、請求項１〜７の何れかに記載の空気入りタイヤ。
【請求項９】
前記補強層を、タイヤ外表面から２〜１０ｍｍの範囲内に埋設したことを特徴とする、請求項１〜８の何れかに記載の空気入りタイヤ。
【発明の詳細な説明】
【技術分野】
【０００１】
本発明は、空気入りタイヤに関し、特には、ビード部の耐久性の低下を抑制しつつ軽量化を図った空気入りタイヤに関するものである。
【背景技術】
【０００２】
近年、空気入りタイヤ、特にトラック・バス等の重荷重車両用の空気入りタイヤとしては、環境への配慮および経済性の観点から低燃費なタイヤが求められている。そして、そのような低燃費タイヤを得るための一手段としては、例えばタイヤの重量を低減させることが挙げられる。
【０００３】
そして、タイヤ重量を低減した空気入りタイヤとしては、例えば特許文献１に、カーカスのタイヤ幅方向外側に設けられたゴム層（サイドゴム）のタイヤ外表面の所定位置に、肉抜き状の凹部（薄肉部）を形成した空気入りタイヤが開示されている。
【０００４】
しかし、特許文献１に記載の空気入りタイヤでは、タイヤの軽量化を実現することはできるものの、サイドゴムのタイヤ外表面に凹部を設けたために、タイヤの負荷転動時に、ビード部外表面がリムフランジからタイヤを押し込む向きの力を受けると、ビード部のゴム（ビード部の外皮ゴム）がタイヤ半径方向に逃げ変形し易くなる。そのため、特許文献１に記載の空気入りタイヤでは、リムフランジとの接触域近傍のゴムがこのような大きな逃げ変形を繰り返し受けることにより、その部分にへたりが発生してビード部の耐久性が低下したり、カーカスの折り返し部の、タイヤ半径方向外方端に応力が集中して、そこにセパレーションが発生したりするおそれがあった。
【先行技術文献】
【特許文献】
【０００５】
【特許文献１】国際公開第２００９／０５１２６０号
【発明の概要】
【発明が解決しようとする課題】
【０００６】
これに対し、例えば図７（ａ）或いは（ｂ）に示すように、サイドゴム７１のタイヤ外表面に薄肉部７２を設けた空気入りタイヤ７０Ａ，Ｂにおいて、ビード部７３に埋設されているビードコア７４の周りにタイヤ幅方向内側から外側に向けて巻き付けたカーカス７５の巻き付け部７５ａ、或いは、ビードコア７４の周りでタイヤ幅方向内側から外側に向けて折り返したカーカス７５の折返し部７５ｂの周りに有機繊維からなる補強層７６を配設し、この補強層７６でリムフランジＲｆとの接触域近傍でのゴムの変形を拘束することにより、リムフランジとの接触域近傍でのゴムのへたりの発生を有効に抑制することが考えられる。
【０００７】
しかし、サイドゴムのタイヤ外表面に薄肉部を設けてタイヤの軽量化を図ると共に、補強層をカーカスの巻き付け部または折り返し部の周りに配設してリムフランジとの接触域近傍でのゴムのへたりの発生を抑制した場合でも、補強層の設置位置によっては、タイヤの負荷転動時に、ビード部のリムフランジに接触する部分がリムフランジからの反力を受けてリムフランジとの接触部近傍のゴムが流動（逃げ変形）し、そのゴムの流動により補強層の端部やビートコアに巻き付いたカーカスの界面における応力集中が大きくなって、オゾンクラックが発生し易くなったり、ビード部の耐久性が低下したりする可能性があった。また、薄肉部を設けることでビード部の横方向（タイヤ幅方向）の剛性が低下し、操安性が低下する恐れもあった。なお、上述したようなゴムの流動が起こるのは、サイドゴムのタイヤ外表面に薄肉部を設けたことにより、ビード部の外面形状が従来の凸形状から凹形状となって、ビード部の倒れ込み変形によるゴム流動の抑制効果が小さくなったためである。
【０００８】
そのため、薄肉部を設けてタイヤの軽量化を図りつつ、補強層を好適な位置に配設して、ビード部とリムフランジとの接触域近傍におけるゴムのへたりの発生、オゾンクラックの発生および操縦安定性（操安性）の低下を抑制すると共にビード部の耐久性を向上させた空気入りタイヤが求められていた。
【課題を解決するための手段】
【０００９】
この発明は、上記課題を有利に解決することを目的とするものであり、本発明の空気入りタイヤは、トレッド部から一対のサイドウォール部を介して一対のビード部にわたってトロイド状に延び、ビード部内に埋設されたビードコアに係止されるカーカス本体部と、該カーカス本体部から延びビードコアの周りに折り返されてなるカーカス折返し部とで構成される、少なくとも1プライからなるカーカスを具える空気入りタイヤであって、タイヤを適用リムに装着し、所定空気圧を適用した無負荷状態でリムフランジの外端位置よりもタイヤ径方向外方に位置する、少なくともビード部の外面ゴム部分に、タイヤ径方向外方に向かってゴム厚みが減少する薄肉部を設け、前記カーカスの外周面に沿ってビードコアの周りに巻き返された、有機繊維コードのゴム被覆シートからなる少なくとも１枚の補強層を配設し、前記タイヤの適用リムへの装着姿勢で、前記補強層のタイヤ径方向内端位置からタイヤ径方向に沿って測定して、前記薄肉部のゴム厚み減少開始位置までの距離をＨ０、前記補強層のカーカス本体部側のタイヤ径方向外端位置までの距離をＨ１、そして前記補強層のカーカス折返し部側のタイヤ径方向外端位置までの距離をＨ２とするとき、Ｈ０、Ｈ１及びＨ２が、下記不等式（Ｉ）：
Ｈ１＜Ｈ０＜Ｈ２・・・（Ｉ）
を満足し、Ｈ０が２５〜４５ｍｍであり、Ｈ１が２０〜３０ｍｍであり、且つ、Ｈ２が５０〜８０ｍｍであることを特徴とする。このように、Ｈ１＜Ｈ０とすれば、カーカスの折返し部で歪が発生してビード部の耐久性が低下することを防止することができ、Ｈ０＜Ｈ２とすれば、サイドウォール部で歪が発生して耐オゾンクラック性が低下することを防止することができる。また、ビード部の横方向（タイヤ幅方向）の剛性を高めることができる。よって、薄肉部の形成によるタイヤの軽量化を図りつつ、リムフランジとの接触域近傍におけるゴムのへたりの発生、オゾンクラックの発生および操安性の低下を抑制すると共にビード部の耐久性を向上させることができる。また、Ｈ０を２５〜４５ｍｍとし、Ｈ１を２０〜３０ｍｍとし、且つ、Ｈ２を５０〜８０ｍｍとすれば、ビード部の倒れ込み変形を抑制してビード部の耐久性を向上することができる。
【００１０】
なお、本発明において、「少なくともビード部の外面ゴム部分」には、ビード部およびサイドウォール部の両者にわたる外面ゴム部分も含まれる。また、「適用リム」とは、タイヤが生産され、使用される地域に有効な産業規格であって、日本ではＪＡＴＭＡ（日本自動車タイヤ協会）  ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）ＹＥＡＲ  ＢＯＯＫ等に規定されたリムをいうものとする。更に、「タイヤを適用リムに装着し、所定空気圧を適用した無負荷状態」とは、タイヤを適用リムに装着し、適用サイズのタイヤにおけるＪＡＴＭＡ等の規格のタイヤ最大負荷能力に対応する空気圧（最高空気圧）とした、無負荷状態のタイヤ姿勢をいうものとする。
【００１１】
ここで、本発明の空気入りタイヤは、前記カーカス折返し部が、前記ビードコアの周りに巻き付いていることが好ましい。
【００１３】
更に、本発明の空気入りタイヤは、前記補強層は、タイヤ周方向に対してそれぞれ３０〜６０°の角度でタイヤ周方向を挟んで傾斜する二軸織物のゴム被覆シートからなることが好ましい。このようにすれば、リムフランジとの接触域近傍におけるゴムのへたりの発生を効果的に抑制することができると共に、補強層端部での故障の発生を抑制することができるからである。
【００１４】
また、本発明の空気入りタイヤは、適用リムに装着し、所定空気圧を適用した無負荷状態で、前記補強層のカーカス折返し部側のタイヤ径方向外端を、適用リムのリムフランジの外端に対して５〜２０ｍｍの範囲でタイヤ径方向外方に位置させ、補強層のカーカス本体部側のタイヤ径方向外端を、前記ビードコアの中心直下位置より３〜２０ｍｍの範囲でタイヤ幅方向内方に位置させることが好ましい。このようにすれば、リムフランジとの接触域近傍におけるゴムのへたりの発生を有効に抑制することができるからである。なお、本発明において、「ビードコアの中心」とは、例えば、円形断面形状を有するいわゆるケーブルビードでは円の中心を、六角ビードでは対角線の交点をいうものとする。
【００１５】
更に、本発明の空気入りタイヤは、前記薄肉部の外面形状は、前記カーカスよりタイヤ幅方向外側に中心を有する一つ以上の円弧からなることが好ましい。このようにすれば、タイヤのモールドでの製造を容易にすることができるからである。
【００１６】
また、本発明の空気入りタイヤは、適用リムに装着し、所定空気圧を適用した無負荷状態で、前記薄肉部の曲率半径が、１０〜５００ｍｍの範囲であることが好ましい。このようにすれば、タイヤの軽量化と、ビード部の耐久性の確保とをバランス良く達成することができるからである。
【００１７】
更に、本発明の空気入りタイヤは、適用リムに装着し、所定空気圧を適用した無負荷状態で、前記薄肉部のタイヤ径方向外端が、タイヤ幅方向断面内で、タイヤ幅方向外側に凸となる曲線状をなすサイドウォール部の外表面と滑らかに連続していることが好ましい。このようにすれば、ビード部の曲げ変形による圧縮歪の集中を防ぐことができるからである。なお、本発明において、「タイヤ幅方向外側に凸となる曲線状をなすサイドウォール部の外表面と滑らかに連続」とは、薄肉部を形成する線とサイドウォール部を形成する曲線とがなだらかにつながっていることを指す。
【００１８】
また、本発明の空気入りタイヤは、適用リムに装着し、所定空気圧を適用した無負荷状態で、前記薄肉部のタイヤ径方向内端が、適用リムのリムフランジの円弧中心から前記カーカスの本体部に下ろした垂線と、タイヤ外表面との交点から、タイヤ外表面に沿ってタイヤ径方向外方に測って５〜２５ｍｍの範囲に位置することが好ましい。このようにすれば、タイヤを最も軽量化することができる場所に薄肉部を設けることができるからである。
【００１９】
そして、本発明の空気入りタイヤは、前記補強層を、タイヤ外表面から２〜１０ｍｍの範囲内に埋設することが好ましい。このようにすれば、リムフランジとの接触域近傍におけるゴムのへたり発生の抑制と、補強層の耐久性向上とを効果的に両立することができるからである。
【発明の効果】
【００２０】
本発明によれば、薄肉部を設けてタイヤの軽量化を図りつつ、補強層を好適な位置に配設して、ビード部とリムフランジとの接触域近傍におけるゴムのへたりの発生、オゾンクラックの発生および操安性の低下を抑制すると共にビード部の耐久性を向上させた空気入りタイヤを提供することができる。
【図面の簡単な説明】
【００２１】
【図１】本発明の空気入りタイヤの一例を、適用リムに装着した状態で、タイヤ半部について示すタイヤ幅方向断面図である。
【図２】図１に示す空気入りタイヤのビード部とサイドウォール部の一部をより詳細に示す要部拡大断面図である。
【図３】本発明の空気入りタイヤの他の例を、適用リムに装着した状態で、タイヤ半部について示すタイヤ幅方向断面図である。
【図４】図３に示す空気入りタイヤのビード部とサイドウォール部の一部をより詳細に示す要部拡大断面図である。
【図５】比較例の空気入りタイヤのビード部とサイドウォール部の一部を示す要部拡大断面図である。
【図６】比較例の空気入りタイヤのビード部とサイドウォール部の一部を示す要部拡大断面図である。
【図７】（ａ）および（ｂ）は、サイドゴムでのへたりの発生を抑制するために補強層を設けた空気入りタイヤの例を、適用リムに装着した状態で、タイヤ半部について示すタイヤ幅方向断面図であって、（ａ）はカーカスの端部を巻き付け部とした場合、（ｂ）はカーカスの端部を折返し部とした場合である。
【発明を実施するための形態】
【００２２】
以下、図面を参照して本発明の実施の形態を詳細に説明する。ここに、本発明の空気入りタイヤの一例の空気入りタイヤ１０は、適用リムＲに装着し、所定空気圧を適用した無負荷状態を図１，２に示すように、トレッド部１１と、トレッド部１１の側部からタイヤ径方向内方に延びる一対のサイドウォール部１２（片側のみ図示）と、各サイドウォール部１２のタイヤ径方向内方に連なるビード部１３（片側のみ図示）とを備えている。
【００２３】
また、空気入りタイヤ１０は、一対のビード部１３間に延在する１プライからなるカーカス１４を備えており、該カーカス１４は、トレッド部１１から一対のサイドウォール部１２を介して一対のビード部１３にわたってトロイド状に延び、ビード部１３内に埋設された断面六角形のビードコア１５に係止されるカーカス本体部１４ａと、該カーカス本体部１４ａから延びビードコア１５の周りに折り返されてなるカーカス折返し部１４ｂとで構成されている。なお、図１ではカーカスプライのプライ数を１プライとした場合を示しているが、本発明の空気入りタイヤでは、プライ数は必要に応じて２プライ以上とすることができる。
【００２４】
更に、トレッド部１１のカーカス１４のタイヤ径方向外方には、図１では４枚のベルト層からなるベルト１６およびトレッドゴム１７が配設されており、該トレッドゴム１７の表面には、タイヤ周方向に延びる複数の周方向溝等のトレッド溝が形成されている。また、ビード部１３には、カーカス１４の外周面（ビードコア１５側とは反対側の面）に沿ってワイヤーチェーファー１８が配設されている。更に、ビード部１３のビードコア１５のタイヤ径方向外方には、カーカス１４に沿ってタイヤ径方向外方に向けて厚みが漸減する断面略三角形のスティフナーゴム３１が配設されている。
【００２５】
そして、空気入りタイヤ１０には、リムフランジＲｆの外端Ｒｅ位置よりもタイヤ径方向外方に位置する、ビード部１３およびサイドウォール部１２の一部の外面ゴム部分に、タイヤ径方向外方に向かってゴム厚みが減少する薄肉部１９が設けられている。なお、図１，２では、薄肉部１９のタイヤ径方向内端１９ａは、カーカス１４の折返し部１４ｂの外端１４ｃよりもタイヤ径方向外方に位置している。
【００２６】
ここで、この薄肉部１９は、図２に示すように、その外面形状が、カーカス１４よりタイヤ幅方向外側に中心を有する一つ以上の円弧、好ましくは単一円弧Ｃで画成されている。
【００２７】
なお、薄肉部１９は、適用リムＲに装着し、所定空気圧を適用した無負荷状態で、曲率半径Ｒ１が、１０〜５００ｍｍの範囲であることが好ましい。曲率半径Ｒ１が１０ｍｍ未満の場合、薄肉部１９を形成した領域でタイヤが撓み、ビード部１３に曲げ変形が発生したときの圧縮歪が大きくなるので、ビード部１３の耐久性が悪化することがあるからである。また、曲率半径Ｒ１が５００ｍｍを超えると、薄肉部１９を設けたことによるタイヤの軽量化の割合が小さくなるからである。
【００２８】
また、薄肉部１９のタイヤ径方向外端１９ｂは、空気入りタイヤ１０を適用リムＲに装着し、所定空気圧を適用した無負荷状態で、タイヤ幅方向断面内で、タイヤ幅方向外側に凸となる曲線状をなすサイドウォール部１２の外表面と滑らかに連続していることが好ましい。このようにすれば、ビード部１３の曲げ変形による薄肉部１９のタイヤ径方向外端１９ｂへの圧縮歪の集中を防ぐことができるからである。
【００２９】
更に、薄肉部１９のタイヤ径方向内端１９ａは、図２に示すように、適用リムＲに装着し、所定空気圧を適用した無負荷状態で、適用リムのリムフランジの円弧中心からカーカス本体部１４ａに下ろした垂線Ｐと、タイヤ外表面との交点Ｑから、タイヤ外表面に沿ってタイヤ径方向外方に測って５〜２５ｍｍの範囲に位置することが好ましい。垂線Ｐとタイヤ外表面との交点Ｑから薄肉部１９のタイヤ径方向内端１９ａまでの距離が５ｍｍ未満では、負荷運転時に適用リムＲのリムフランジＲｆに接する部分の面積が小さくなり、ビード部１３の耐久性が低下する恐れがあり、一方、２５ｍｍを超えると、薄肉部１９を設けたことによるタイヤの軽量化の割合が小さくなるからである。
【００３０】
そして更に、空気入りタイヤ１０には、カーカス１４およびワイヤーチェーファー１８の外周面（ビードコア１５側とは反対側の面）に沿ってビードコア１５の周りに巻き返された、有機繊維コードのゴム被覆シートからなる１枚の補強層２０が配設されている。なお、図１，２では補強層２０の枚数を１枚としたが、補強層の枚数は、必要に応じて２枚以上とすることができる。
【００３１】
ここで、補強層２０は、図２に示すように、適用リムＲに装着し、所定空気圧を適用した無負荷状態で、補強層２０のタイヤ径方向内端位置（補強層２０のタイヤ径方向最内側位置）からタイヤ径方向に沿って測定して、薄肉部１９のゴム厚み減少開始位置（タイヤ径方向内端１９ａ）までの距離をＨ０、補強層２０のカーカス本体部１４ａ側のタイヤ径方向外端２０ａの位置までの距離をＨ１、補強層２０のカーカス折返し部１４ｂ側のタイヤ径方向外端２０ｂの位置までの距離をＨ２とするとき、Ｈ０、Ｈ１及びＨ２が、Ｈ１＜Ｈ０＜Ｈ２の不等式を満足するように配置されている。なお、図１，２では、補強層２０のカーカス折返し部１４ｂ側のタイヤ径方向外端２０ｂは、カーカス１４の折返し部１４ｂの外端１４ｃや、薄肉部１９のタイヤ径方向内端１９ａよりもタイヤ径方向外方に位置している。
【００３２】
なお、Ｈ０、Ｈ１、Ｈ２はそれぞれ、Ｈ０が２５ｍｍ〜４５ｍｍであり、Ｈ１が２０〜３０ｍｍであり、Ｈ２が５０〜８０ｍｍであることが好ましい。このようにすれば、ビード部の倒れ込み変形を抑制してビード部の耐久性を向上することができるからである。
【００３３】
また、補強層２０は、タイヤ周方向に対してそれぞれ３０〜６０°の角度でタイヤ周方向を挟んで傾斜する二軸織物のゴム被覆シートからなることが好ましい。このようにすれば、補強層２０のタイヤ径方向外端２０ａ，２０ｂでの故障の発生を抑制することができるからである。なお、二軸織物とは、例えばナイロン等の有機繊維を、縦横の糸を一本ずつ交差させて織った布状のものを指す。
【００３４】
更に、補強層２０は、タイヤ外表面から２〜１０ｍｍの範囲内に埋設されていることが好ましい。２ｍｍ未満では、タイヤのサイドウォール部１２に補強層２０が模様として表れ、タイヤの外観が悪化する恐れがあり、１０ｍｍ超では、リムフランジとの接触域近傍におけるゴムのへたり発生の抑制効果や、補強層２０の耐久性向上効果が得られにくくなるからである。
【００３５】
なお、補強層２０のカーカス折返し部１４ｂ側のタイヤ径方向外端２０ｂおよびカーカス本体部１４ａ側のタイヤ径方向外端２０ａの位置は、図２に示すように、空気入りタイヤ１０を適用リムに装着し、所定空気圧を適用した無負荷状態で、タイヤ径方向外端２０ｂからタイヤ径方向内方に向かって適用リムＲのリムフランジＲｆの外端Ｒｅまでのタイヤ径方向に沿った距離ａが５〜２０ｍｍとなり、タイヤ径方向外端２０ａからタイヤ幅方向外方に向かってビードコア１５の中心直下位置までのタイヤ幅方向に沿った距離ｂが３〜２０ｍｍとなるようにすることが好ましい。距離ａが５ｍｍ未満または２０ｍｍ超の場合、タイヤに荷重が加わった際に、補強層２０の端部２０ｂでセパレーションが発生する恐れがあるからである。また、距離ｂが３ｍｍ未満では、タイヤを適用リムに装着する際にビードコア１５直下付近のゴムの変形によりセパレーションが発生する恐れがあり、一方、２０ｍｍを超えると、製造コストが増大するからである。
【００３６】
そして、上述した空気入りタイヤ１０によれば、補強層２０がＨ１＜Ｈ０＜Ｈ２の不等式を満足するように配置されているので、薄肉部を設けてタイヤの軽量化を図りつつ、ビード部とリムフランジとの接触域近傍におけるゴムのへたりの発生、オゾンクラックの発生および操安性の低下を抑制すると共にビード部の耐久性を向上させることができる。
【００３７】
なお、本発明の空気入りタイヤは、上記一例に限定されることは無く、例えば図３および４に示すような構成とすることができる。
【００３８】
図３および４に示す本発明の空気入りタイヤの他の例の空気入りタイヤ３０は、カーカス折返し部１４ｂが、ビードコア１５の周りにタイヤ幅方向内側から外側に向けて巻き付けられている点およびワイヤーチェーファー１８が設置されていない点を除き、他の点では先の一例の空気入りタイヤと同様に構成されている。なお、図３および４において、図１および２と同様の構成を有する要素は、図１および２と同一の符号を用いて表している。
【００３９】
そして、この空気入りタイヤ３０によれば、カーカス折返し部１４ｂがビードコア１５の周りに巻き付けられているので、カーカスプライを構成するプライコードの引き抜けを有効に防止することができると共に、折返し部１４ｂへのセパレーションの発生を抑制することができる。また、上記空気入りタイヤ１０と同様に、タイヤの軽量化を図りつつ、ビード部とリムフランジとの接触域近傍におけるゴムのへたりの発生、オゾンクラックの発生および操安性の低下を抑制すると共にビード部の耐久性を向上させることができる。
【実施例】
【００４０】
以下、実施例により本発明を更に詳細に説明するが、本発明は下記の実施例に何ら限定されるものではない。
【００４１】
（実施例１）
図１，２および表１に示すような構造を有する、サイズが１１Ｒ２２．５のタイヤを試作した。そして、試作したタイヤを用いて、下記の方法でビードへたり量、ビード部のオゾンクラック量、操安性、タイヤ重量を評価した。結果を表１に示す。
【００４２】
（比較例１）
図５に示すような、薄肉部および補強層を有さず、他の点では実施例１と同様の構成を有する、サイズが１１Ｒ２２．５のタイヤを試作した。そして、試作したタイヤを用いて、下記の方法でビードへたり量、ビード部のオゾンクラック量、操安性、タイヤ重量を評価した。結果を表１に示す。なお、図５において、図１および２と同様の構成を有する箇所は、図１および２と同一の符号を用いて表している。
【００４３】
（比較例２）
図６および表１に示すような、補強層を有さず、他の点では実施例１と同様の構成を有する、サイズが１１Ｒ２２．５のタイヤを試作した。そして、試作したタイヤを用いて、下記の方法でビードへたり量、ビード部のオゾンクラック量、操安性、タイヤ重量を評価した。結果を表１に示す。なお、図６において、図１および２と同様の構成を有する箇所は、図１および２と同一の符号を用いて表している。
【００４４】
＜ビードへたり量の評価＞
実施例１および比較例１，２で作製したタイヤを、それぞれリムサイズ７．５０×２２．５のリムに装着し、内圧を９００ｋＰａとし、ドラム試験機上に取り付け、試験荷重２４．５２ｋＮ、試験速度６０ｋｍ／ｈｒで３００００ｋｍ走行させた。そして、デプスゲージでへたり量を測定し、比較例１のタイヤのへたり量の程度を１００として、指数評価した。値が小さい程へたり量が小さいことを示す。
【００４５】
＜ビード部のオゾンクラック量の評価＞
実施例１および比較例１，２で作製したタイヤを、それぞれリムサイズ７．５０×２２．５のリムに装着し、内圧を９００ｋＰａとし、オゾン発生制御装置を設けたドラム試験機上に取り付け、試験荷重２４．５２ｋＮ、試験速度６０ｋｍ／ｈｒで３００００ｋｍ走行させた。そして、ビード部断面の表面付近の亀裂個数を計測し比較例１のタイヤのオゾンクラック量の程度を１００として、指数評価した。値が小さい程オゾンクラック量が小さいことを示す。
【００４６】
＜操安性能の評価＞
実施例１および比較例１，２で作製したタイヤを、それぞれリムサイズ７．５０×２２．５のリムに装着し、内圧を９００ｋＰａとして、２Ｄ４車両のドライブ軸（Ｄ軸）に装着した。そして、試験荷重２４．５２ｋＮ、試験速度６０ｋｍ／ｈｒでドライ路面を１００ｋｍ走行させた際のドライ操安性をフィーリング評価した。比較例１の操安性を１００として、指数評価した。値が小さい程操安性が悪いことを示す。
【００４７】
＜タイヤ重量の評価＞
実施例１および比較例１，２で作製したタイヤの重量を計測し、比較例１のタイヤとの重量の差を求めた。
【００４８】
【表１】
0005497403.tif 000002
【００４９】
表１より、実施例１のタイヤでは、比較例１のタイヤと比べて、タイヤの軽量化を図ることができることが分かる。また、実施例１のタイヤでは、比較例２のタイヤと比べてビードへたり量およびオゾンクラック量を低減することができると共に、操安性を向上させることができることが分かる。
【産業上の利用可能性】
【００５０】
本発明によれば、薄肉部を設けてタイヤの軽量化を図りつつ、補強層を好適な位置に配設して、ビード部とリムフランジとの接触域近傍におけるゴムのへたりの発生、オゾンクラックの発生および操安性の低下を抑制すると共にビード部の耐久性を向上させた空気入りタイヤを提供することができる。
【符号の説明】
【００５１】
１０  空気入りタイヤ
１１  トレッド部
１２  サイドウォール部
１３  ビード部
１４  カーカス
１４ａ  カーカス本体部
１４ｂ  カーカス折返し部
１４ｃ  外端
１５  ビードコア
１６  ベルト
１７  トレッドゴム
１８  ワイヤーチェーファー
１９  薄肉部
１９ａ  タイヤ径方向内端
１９ｂ  タイヤ径方向外端
２０  補強層
２０ａ  タイヤ径方向外端
２０ｂ  タイヤ径方向外端
３０  空気入りタイヤ
３１  スティフナーゴム
７０Ａ，Ｂ  空気入りタイヤ
７１  サイドゴム
７２  薄肉部
７３  ビード部
７４  ビードコア
７５ａ  巻き付け部
７５ｂ  折返し部
７６  補強層
Ｒ  リム
Ｒｆ  リムフランジ
Ｒｅ  外端
【図１】
0005497403.tif 000003
【図２】
0005497403.tif 000004
【図３】
0005497403.tif 000005
【図４】
0005497403.tif 000006
【図５】
0005497403.tif 000007
【図６】
0005497403.tif 000008
【図７】
0005497403.tif 000009